(57)【要約】      （修正有）【課題】特に自動車の後部座席を回転させたりスライドさせたりすることが出来る調整可能なテーブル及び後部座席を提供する。【解決手段】調整可能なテーブル及び後部座席は、ベース１０と、第一シートフレーム２０と、第二シートフレーム３０と、テーブル４０とを有し、該第一シートフレームは、摺動構造及び角度調整構造による調整可能にベースの上面１１に設置され、該第二シートフレームは、第一シートフレームに対向するように、摺動構造及び角度調整構造による調整可能にベースの上面に設置され、該テーブルは、第一シートフレームと第二シートフレームとの間に位置すると共に、伸縮可能にベースに設置され、搭乗者が後部座席を自ら乗り心地がよい適当な角度に調整できるので、長距離走行においても快適に乗車することができる。【選択図】図１
2016008046.tif 000002
【特許請求の範囲】
【請求項１】
ベースと、少なくとも１つの第一シートフレームと、少なくとも１つの第二シートフレームと、少なくとも１つのテーブルとを有し、
その内、第一シートフレームは、ベースの上面に設置され、第一底部と、第一椅子部材と、第一背もたれ部材とを備え、該第一底部は、第一枠部と、第一座部と、第一底部摺動構造とを備え、該第一座部は、摺動可能に第一枠部の上面に設置され、該第一底部摺動構造は、第一枠部と第一座部との間に設置され、該第一座部は、第一底部摺動構造を介して第一枠部に対して摺動可能であり、該第一椅子部材は、摺動可能に第一底部の上面に設置され、第一座り部及び第一上部摺動構造を備え、該第一上部摺動構造は、第一座り部と第一座部との間に設置され、該第一座り部は、第一上部摺動構造を介して第一座部に対して摺動可能であり、該第一背もたれ部材は、第一椅子部材に枢設され、第一背もたれ枠部及び少なくとも１つの第一角度調整構造を備え、該第一角度調整構造は、第一背もたれ枠部と第一座り部との間に設置され、該第一背もたれ枠部は、第一角度調整構造を介して第一座り部に対して枢転可能であり、
前記第二シートフレームは、ベースの上面に設置され、第二底部と、第二椅子部材と、脚支持部材と、第二背もたれ部材とを備え、前記第二底部は、第二枠部と、第二座部と、第二底部摺動構造とを備え、該第二座部は、摺動可能に第二枠部の上面に設置され、該第二底部摺動構造は、第二座部と第二枠部との間に設置され、該第二座部は、第二底部摺動構造を介して第二枠部に対して摺動可能であり、該第二椅子部材は、摺動可能に第二底部の上面に設置され、第二座り部及び第二上部摺動構造を備え、該第二上部摺動構造は、第二座り部と第二座部との間に設置され、該第二座り部は、第二上部摺動構造を介して第二座部に対して摺動可能であり、前記脚支持部材は、第二座り部の前側に設置され、第一脚支持部と、第二脚支持部と、第三脚支持部とを備え、該第一脚支持部は、第二座り部の前側に枢設され、該第二脚支持部は、第一脚支持部の前側に枢設され、該第三脚支持部は、第一脚支持部と第二脚支持部との間に設置され、該第二脚支持部は、第三脚支持部を介して第一脚支持部に対して枢転可能であり、前記第二背もたれ部材は、第二椅子部材に枢設され、第二背もたれ枠部及び少なくとも１つの第二角度調整構造を備え、該第二角度調整構造は、第二背もたれ枠部と第二座り部との間に設置され、該第二背もたれ枠部は、第二角度調整構造を介して第二座り部に対して枢転可能であり、
前記テーブルが伸縮可能にベースに設置されることを特徴とする調整可能なテーブル及び後部座席。
【請求項２】
前記第一シートフレーム、第二シートフレーム、テーブルをそれぞれ２つ有し、そのうち、２つの第一シートフレームは、横方向に並設され、その２つの第二シートフレームは、第一シートフレームと対向するように、横方向に並設され、その２つのテーブルは、第一シートフレームと第二シートフレームとの間に設置されることを特徴とする請求項１に記載の調整可能なテーブル及び後部座席。
【請求項３】
前記第二シートフレームの脚支持部材の第三脚支持部は、少なくとも１つの第一モータと、少なくとも１つの歯車組みと、１つの軸と、少なくとも１つの連結板とを備え、そのうち、第一モータは、第一脚支持部の底面に取り付けられ、該歯車組みは、対応する第一モータの伝動軸との接続により連動し、該軸が歯車組みに接続され、該連結板の一端が軸に固定されると共に、他端が第二脚支持部の底面に固定されることを特徴とする請求項１または２に記載の調整可能なテーブル及び後部座席。
【請求項４】
前記第三脚支持部における、第一モータ及び歯車組みを２つ有すると共に、保持部材を備え、また、前記軸は、２つの歯車組みの間に架設され、該保持部材は、第二モータと、転動棒と、２つの枢転棒と、２つの止め部とを備え、該第二モータは、第一脚支持部の底面に設置され、該転動棒は、第二モータとの接続により連動し、該転動棒の末端に偏心ブロックが形成され、該２つの枢転棒がそれぞれ、対応する一端を介して互いに枢設され、そのうちの１つの枢転棒の側面が偏心ブロックの周面に当接され、該止め部がそれぞれ、対応する連結板に当接されることを特徴とする請求項３に記載の調整可能なテーブル及び後部座席。
【請求項５】
前記第一角度調整構造は、第一リンクと、第二リンクと、第三リンクとを備え、該第一リンクの一端が第一座部に、他端が第一背もたれ枠部に枢設され、該第二リンクの一端が第一座り部に、他端が第三リンクの一端に枢設され、該第三リンクの他端が第一背もたれ枠部に枢設され、該第二リンクの中段が第一リンクの中段に枢設されることを特徴とする請求項１または２に記載の調整可能なテーブル及び後部座席。
【請求項６】
前記第一シートフレームはさらにヘッドレストを有し、該ヘッドレストは、第一背もたれ部材に枢設され、ヘッドレストフレーム及び少なくとも１つの摺動リンク構造を備え、該摺動リンク構造は、ヘッドレストフレームと第一背もたれ枠部との間に取り付けられ、該ヘッドレストフレームが摺動リンク構造を介して第一背もたれ枠部に対して枢転可能であることを特徴とする請求項１または２に記載の調整可能なテーブル及び後部座席。
【請求項７】
前記テーブルは、駆動装置と、伸縮棒部材と、折り畳み板とを備え、該伸縮棒部材は、駆動装置に環装されると共に、ベースに嵌め込まれ、該駆動装置の駆動によって、伸縮棒部材を延出させたり、縮退させてベースの内部に収納したりし、また、該折り畳み板は、伸縮棒部材の末端に設置されることを特徴とする請求項１または２に記載の調整可能なテーブル及び後部座席。
【請求項８】
前記テーブルの駆動装置は、２つの伸縮可能なネジ棒と、２つの固定板と、２つの第三モータとを備え、該各ネジ棒は、第一ネジ棒と、第二ネジ棒と、第三ネジ棒とを備え、該２つのネジ棒における、第一ネジ棒はそれぞれ、ベース及び折り畳み板の底面に固定され、該２つの固定板はそれぞれ、移動可能に２つのネジ棒に取り付けられ、また、該２つの固定板との間に所定の距離が設けられ、該２つの第三モータはそれぞれ、ネジ棒の第三ネジ棒を駆動するために、２つの固定板に取り付けられることを特徴とする請求項７に記載の調整可能なテーブル及び後部座席。
【請求項９】
前記テーブルの伸縮棒部材は、複数の円筒管を備え、それらの円筒管は、異なる外径を呈すると共に、一端から他端へ行く次第に外径が大きくなるように次々に接続されることを特徴とする請求項８に記載の調整可能なテーブル及び後部座席。
【請求項１０】
前記テーブルの折り畳み板は、３つのプレートを有し、そのうちの１つのプレートが中央に配置され、他の２つのプレートがそれぞれ、中央のプレートの両側に枢設されることを特徴とする請求項７に記載の調整可能なテーブル及び後部座席。
【請求項１１】
前記第二シートフレームは、２つの肘掛とを備え、該肘掛がそれぞれ、第二背もたれ枠部の両側に設置されることを特徴とする請求項１または２に記載の調整可能なテーブル及び後部座席。
【発明の詳細な説明】
【技術分野】
【０００１】
本発明は、特に自動車の後部座席やを回転させたりスライドさせたりリクライニングさせたりして調整することが出来る後部座席及びテーブルに関するものである。
【背景技術】
【０００２】
既存の自動車には、大勢の人が乗車できる車種や、多くの荷物を積載できる車種があり、使用者は必要に応じて好みの車種を自由に選択することが出来る。その内、大勢の人が乗車できる車種には、後席に多くのシートが設置されるため、各後部座席の空間が狭く、体積の小さな荷物しか載せられない。一方、体積の大きな荷物や大量の荷物を載せるタイプの車種では、広い空間を提供するために、後部にシートを設置しないことによって空間を確保している。
【０００３】
また、ある車種は、使用者が必要に応じて異なる使い方ができ、例えば、仕事の時は、自動車を用いて荷物を搬送することができ、休みの時は、大勢の家族や友達をつれて旅をすることもできる。
【先行技術文献】
【特許文献】
【０００４】
【特許文献１】日本特開２０１３−１５４７７２
【発明の概要】
【発明が解決しようとする課題】
【０００５】
しかしながら、多くの荷物を積載できる車種は、後部に座席を有しないので、乗車時における安全性に問題がある。一方、大勢の人が乗車できる車種は、後部に座席が設置されるが、後部の大部分の空間を占めることから、体積の大きな荷物や大量の荷物を積載できないという問題もあった。つまり、沢山の人が乗車でき、尚且つ多くの荷物用が積載できる車種は存在しない。さらに、自動車で長距離を走行する場合、後部座席の背もたれをリクライニングさせたり、水平状態にすることが出来れば、搭乗者が快適に座ったり、横になったりでき、乗り心地がよくなるが、既存の自動車は、車内の空間が不足していることから、後部座席を大幅に調整することが出来ないという問題があった。
【課題を解決するための手段】
【０００６】
本発明の調整可能なテーブル及び後部座席は、ベースと、少なくとも１つの第一シートフレームと、少なくとも１つの第二シートフレームと、少なくとも１つのテーブルとを有し、
その内、第一シートフレームは、ベースの上面に設置され、第一底部と、第一椅子部材と、第一背もたれ部材とを備え、該第一底部は、第一枠部と、第一座部と、第一底部摺動構造とを備え、該第一座部は、摺動可能に第一枠部の上面に設置され、該第一底部摺動構造は、第一枠部と第一座部との間に設置され、該第一座部は、第一底部摺動構造を介して第一枠部に対して摺動可能であり、該第一椅子部材は、摺動可能に第一底部の上面に設置され、第一座り部及び第一上部摺動構造を備え、該第一上部摺動構造は、第一座り部と第一座部との間に設置され、該第一座り部は、第一上部摺動構造を介して第一座部に対して摺動可能であり、該第一背もたれ部材は、第一椅子部材に枢設され、第一背もたれ枠部及び少なくとも１つの第一角度調整構造を備え、該第一角度調整構造は、第一背もたれ枠部と第一座り部との間に設置され、該第一背もたれ枠部は、第一角度調整構造を介して第一座り部に対して枢転可能であり、
前記第二シートフレームは、ベースの上面に設置され、第二底部と、第二椅子部材と、脚支持部材と、第二背もたれ部材とを備え、
前記第二底部は、第二枠部と、第二座部と、第二底部摺動構造とを備え、該第二座部は、摺動可能に第二枠部の上面に設置され、該第二底部摺動構造は、第二座部と第二枠部との間に設置され、該第二座部は、第二底部摺動構造を介して第二枠部に対して摺動可能であり、該第二椅子部材は、摺動可能に第二底部の上面に設置され、第二座り部及び第二上部摺動構造を備え、該第二上部摺動構造は、第二座り部と第二座部との間に設置され、該第二座り部は、第二上部摺動構造を介して第二座部に対して摺動可能であり、
前記脚支持部材は、第二座り部の前側に設置され、第一脚支持部と、第二脚支持部と、第三脚支持部とを備え、該第一脚支持部は、第二座り部の前側に枢設され、該第二脚支持部は、第一脚支持部の前側に枢設され、該第三脚支持部は、第一脚支持部と第二脚支持部との間に設置され、該第二脚支持部は、第三脚支持部を介して第一脚支持部に対して枢転可能であり、前記第二背もたれ部材は、第二椅子部材に枢設され、第二背もたれ枠部及び少なくとも１つの第二角度調整構造を備え、該第二角度調整構造は、第二背もたれ枠部と第二座り部との間に設置され、該第二背もたれ枠部は、第二角度調整構造を介して第二座り部に対して枢転可能であり、前記テーブルが伸縮可能にベースに設置されるものである。
【０００７】
かかる調整可能なテーブル及び後部座席において、
前記第一シートフレーム、第二シートフレーム、テーブルをそれぞれ２つ有し、そのうち、２つの第一シートフレームは、横方向に並設され、その２つの第二シートフレームは、第一シートフレームと対向するように、横方向に並設され、その２つのテーブルは、第一シートフレームと第二シートフレームとの間に設置されることが好ましい。
【０００８】
かかる調整可能なテーブル及び後部座席において、
前記第二シートフレームの脚支持部材の第三脚支持部は、少なくとも１つの第一モータと、少なくとも１つの歯車組みと、１つの軸と、少なくとも１つの連結板とを備え、そのうち、第一モータは、第一脚支持部の底面に取り付けられ、該歯車組みは、対応する第一モータの伝動軸との接続により連動し、該軸が歯車組みに接続され、該連結板の一端が軸に固定されると共に、他端が第二脚支持部の底面に固定されることが好ましい。
【０００９】
かかる調整可能なテーブル及び後部座席において、
前記第三脚支持部における、第一モータ及び歯車組みを２つ有すると共に、保持部材を備え、また、前記軸は、２つの歯車組みの間に架設され、該保持部材は、第二モータと、転動棒と、２つの枢転棒と、２つの止め部とを備え、該第二モータは、第一脚支持部の底面に設置され、該転動棒は、第二モータとの接続により連動し、該転動棒の末端に偏心ブロックが形成され、該２つの枢転棒がそれぞれ、対応する一端を介して互いに枢設され、そのうちの１つの枢転棒の側面が偏心ブロックの周面に当接され、該止め部がそれぞれ、対応する連結板に当接されることが好ましい。
【００１０】
かかる調整可能なテーブル及び後部座席において、
前記第一角度調整構造は、第一リンクと、第二リンクと、第三リンクとを備え、該第一リンクの一端が第一座部に、他端が第一背もたれ枠部に枢設され、該第二リンクの一端が第一座り部に、他端が第三リンクの一端に枢設され、該第三リンクの他端が第一背もたれ枠部に枢設され、該第二リンクの中段が第一リンクの中段に枢設されることが好ましい。
【００１１】
かかる調整可能なテーブル及び後部座席において、
前記第一シートフレームはさらにヘッドレストを有し、該ヘッドレストは、第一背もたれ部材に枢設され、ヘッドレストフレーム及び少なくとも１つの摺動リンク構造を備え、該摺動リンク構造は、ヘッドレストフレームと第一背もたれ枠部との間に取り付けられ、該ヘッドレストフレームが摺動リンク構造を介して第一背もたれ枠部に対して枢転可能であることが好ましい。
【００１２】
かかる調整可能なテーブル及び後部座席において、
前記テーブルは、駆動装置と、伸縮棒部材と、折り畳み板とを備え、該伸縮棒部材は、駆動装置に環装されると共に、ベースに嵌め込まれ、該駆動装置の駆動によって、伸縮棒部材を延出させたり、縮退させてベースの内部に収納したりし、また、該折り畳み板は、伸縮棒部材の末端に設置されることが好ましい。
【００１３】
かかる調整可能なテーブル及び後部座席において、
前記テーブルの駆動装置は、２つの伸縮可能なネジ棒と、２つの固定板と、２つの第三モータとを備え、該各ネジ棒は、第一ネジ棒と、第二ネジ棒と、第三ネジ棒とを備え、該２つのネジ棒における、第一ネジ棒はそれぞれ、ベース及び折り畳み板の底面に固定され、該２つの固定板はそれぞれ、移動可能に２つのネジ棒に取り付けられ、また、該２つの固定板との間に所定の距離が設けられ、該２つの第三モータはそれぞれ、ネジ棒の第三ネジ棒を駆動するために、２つの固定板に取り付けられることが好ましい。
【００１４】
かかる調整可能なテーブル及び後部座席において、
前記テーブルの伸縮棒部材は、複数の円筒管を備え、それらの円筒管は、異なる外径を呈すると共に、一端から他端へ行く次第に外径が大きくなるように次々に接続されることが好ましい。
【００１５】
かかる調整可能なテーブル及び後部座席において、
前記テーブルの折り畳み板は、３つのプレートを有し、そのうちの１つのプレートが中央に配置され、他の２つのプレートがそれぞれ、中央のプレートの両側に枢設されることが好ましい。
【００１６】
かかる調整可能なテーブル及び後部座席において、
前記第二シートフレームは、２つの肘掛とを備え、該肘掛がそれぞれ、第二背もたれ枠部の両側に設置されることが好ましい。
【発明の効果】
【００１７】
本発明に係る調整可能なテーブル及び後部座席は、以下に示すようなメリットを有する。
１．本発明に係る調整可能なテーブル及び後部座席は、大勢の人が乗車できると共に、それらの各後部座席は、リクライニング調整できることから、搭乗者は、自ら乗り心地がよい適当な角度に調整できるので、長距離走行においても快適に乗車することができる。
２．本発明に係る調整可能なテーブル及び後部座席は、第一シートフレームと、第二シートフレームと、テーブルとを有し、それらの部材はそれぞれ個別に調整してもよく、必要に応じて、例えば、第一シートフレームと第二シートフレームとが同一平面となるように調整してベッドとして利用してもよく、また、第一シートフレームと第二シートフレームとを対向するように調整し、それらの間にテーブル４０を利用することが出来る。
３．本発明に係る調整可能なテーブル及び後部座席における２つの第一シートフレームと２つの第二シートフレームとを全て水平状に調整すれば、後部に広い空間ができることから、体積の大きな荷物や大量の荷物を積載することができるので、実用性が向上する。
【図面の簡単な説明】
【００１８】
【図１】本発明に係る調整可能なテーブル及び後部座席の斜視図である。
【図２】本発明に係る調整可能なテーブル及び後部座席における第一シートフレームの斜視図である。
【図３】本発明に係る調整可能なテーブル及び後部座席における第一シートフレームの側面図である。
【図４】本発明に係る調整可能なテーブル及び後部座席における第一シートフレームを調整している状態を示す側面図である。
【図５】本発明に係る調整可能なテーブル及び後部座席における第一シートフレームを調整している状態を示す斜視図である。
【図６】本発明に係る調整可能なテーブル及び後部座席における第一シートフレームの他の調整状態を示す側面図である。
【図７】本発明に係る調整可能なテーブル及び後部座席における第一シートフレームの他の調整状態を示す斜視図である。
【図８】本発明に係る調整可能なテーブル及び後部座席における第一シートフレームの更に他の調整状態を示す側面図である。
【図９】本発明に係る調整可能なテーブル及び後部座席における第二シートフレームの斜視図である。
【図１０】本発明に係る調整可能なテーブル及び後部座席における第二シートフレームの脚支持部材の斜視図である。
【図１１】本発明に係る調整可能なテーブル及び後部座席における第二シートフレームの脚支持部材の部分斜視図である。
【図１２】本発明に係る調整可能なテーブル及び後部座席における第二シートフレームの脚支持部材の他の部分斜視図である。
【図１３】本発明に係る調整可能なテーブル及び後部座席における第二シートフレームを調整した状態を示す側面図である。
【図１４】本発明に係る調整可能なテーブル及び後部座席における第二シートフレームの他の調整状態を示す側面図である。
【図１５】本発明に係る調整可能なテーブル及び後部座席における第二シートフレームの更に他の調整状態を示す側面図である。
【図１６】本発明に係る調整可能なテーブル及び後部座席におけるテーブルの斜視図である。
【図１７】本発明に係る調整可能なテーブル及び後部座席におけるテーブルの部分斜視図である。
【図１８】本発明に係る調整可能なテーブル及び後部座席におけるテーブルを調整した状態を示す斜視図である。
【図１９】本発明に係る調整可能なテーブル及び後部座席におけるテーブルの他の調整状態を示す斜視図である。
【図２０】本発明に係る調整可能なテーブル及び後部座席の側面図である。
【図２１】本発明に係る調整可能なテーブル及び後部座席においての第一調整操作を示す斜視図である。
【図２２】本発明に係る調整可能なテーブル及び後部座席においての第一調整操作を示す側面図である。
【図２３】本発明に係る調整可能なテーブル及び後部座席においての第二調整操作を示す斜視図である。
【図２４】本発明に係る調整可能なテーブル及び後部座席においての第三調整操作を示す斜視図である。
【図２５】本発明に係る調整可能なテーブル及び後部座席においての第三調整操作を示す側面図である。
【図２６】本発明に係る調整可能なテーブル及び後部座席においての第四調整操作を示す斜視図である。
【図２７】本発明に係る調整可能なテーブル及び後部座席においての第四調整操作を示す側面図である。
【発明を実施するための形態】
【００１９】
図１に示すように、ベース１０と、少なくとも１つの第一シートフレーム２０と、少なくとも１つの第二シートフレーム３０と、少なくとも１つのテーブル４０とを有する。
【００２０】
図１乃至図３に示すように、前記第一シートフレーム２０は、ベース１０の上面１１に設置され、第一底部２１と、第一椅子部材２２と、第一背もたれ部材２３と、ヘッドレスト２４とを備える。
そのうち、第一底部２１は、第一枠部２１１と、第一座部２１２と、第一底部摺動構造２１３とを備え、該第一座部２１２は、摺動可能に第一枠部２１１の上面に設置され、該第一底部摺動構造２１３は、第一枠部２１１と第一座部２１２との間に設置され、該第一座部２１２は、第一底部摺動構造２１３を介して第一枠部２１１に対して摺動することが出来る。尚、本実施例の第一底部摺動構造２１３は、モータや、歯車組み、スクリューロッド、ナット、レールなどの部材からなることが好ましい。
【００２１】
前記第一椅子部材２２は、摺動可能に第一底部２１の上面に設置され、第一座り部２２１及び第一上部摺動構造２２２を備え、該第一上部摺動構造２２２は、第一座り部２２１と第一座部２１２との間に設置され、該第一座り部２２１は、第一上部摺動構造２２２を介して第一座部２１２に対して摺動することが出来る。尚、本実施例の第一上部摺動構造２２２は、モータや、歯車組み、スクリューロッド、ナット、レールなどの部材からなることが好ましい。
【００２２】
前記第一背もたれ部材２３は、第一椅子部材２２に枢設され、第一背もたれ枠部２３１及び少なくとも１つの第一角度調整構造２３２を備え、該第一角度調整構造２３２は、第一背もたれ枠部２３１と第一座り部２２１との間に設置され、該第一背もたれ枠部２３１は、第一角度調整構造２３２を介して第一座り部２２１に対して水平に枢転することが出来る。尚、本実施例の第一角度調整構造２３２は、第一リンク２３２aと、第二リンク２３２bと、第三リンク２３２cとを備え、該第一リンク２３２aの一端は第一座部２１２に、他端は第一背もたれ枠部２３１に枢設され、該第二リンク２３２bの一端は第一座り部２２１に、他端は第三リンク２３２cの一端に枢設され、該第三リンク２３２cの他端は第一背もたれ枠部２３１に枢設され、また、該第二リンク２３２bの中段は第一リンク２３２aの中段に枢設される。
【００２３】
前記ヘッドレスト２４は、第一背もたれ部材２３に枢設され、ヘッドレストフレーム２４１及び少なくとも１つの摺動リンク構造２４２を備え、該摺動リンク構造２４２は、ヘッドレストフレーム２４１と第一背もたれ枠部２３１との間に取り付けられ、該ヘッドレストフレーム２４１は、摺動リンク構造２４２を介して第一背もたれ枠部２３１に対して枢転することができる。尚、本実施例の摺動リンク構造２４２は、モータや、歯車組み、スクリューロッド、ナット、レールなどの部材からなることが好ましい。
【００２４】
図４乃至図８に示すように、第一シートフレーム２０を使用する時は、使用者が必要に応じて第一底部摺動構造２１３、第一上部摺動構造２２２、第一角度調整構造２３２、摺動リンク構造２４２をそれぞれ好みの角度まで調整することが出来る。
また、その第一シートフレーム２０を水平に調整する場合は、まず第一上部摺動構造２２２を駆動して第一座り部２２１を第一座部２１２に対して移動させて、第二リンク２３２bを第一リンク２３２a及び第三リンク２３２cに対して枢転させながら第一背もたれ枠部２３１を斜めに枢転させ、次に、第一底部摺動構造２１３を駆動して第一座部２１２を第一枠部２１１に対して移動させ、更に、摺動リンク構造２４２を駆動させてヘッドレストフレーム２４１を枢転させる。この時、第一リンク２３２a、第二リンク２３２b、第三リンク２３２cの枢転によって、第一座り部２２１と第一背もたれ枠部２３１とを同一平面となるように調整し、すなわち、第一座り部２２１と第一背もたれ枠部２３１が水平状態となることから、搭乗者が第一シートフレーム２０に横になってもよく、体積の大きな荷物を積載してもよい。
【００２５】
図１及び図９に示すように、前記第二シートフレーム３０は、ベース１０の上面に設置され、第二底部３１と、第二椅子部材３２と、脚支持部材３３と、第二背もたれ部材３４とを有する。
そのうち、第二底部３１は、第二枠部３１１と、第二座部３１２と、第二底部摺動構造３１３とを備え、該第二座部３１２は、摺動可能に第二枠部３１１の上面に設置され、該第二底部摺動構造３１３は、第二座部３１２と第二枠部３１１との間に設置され、該第二座部３１２は、第二底部摺動構造３１３を介して第二枠部３１１に対して摺動することが出来る。尚、本実施例の第二底部摺動構造３１３は、モータや、歯車組み、スクリューロッド、ナット、レールなどの部材からなることが好ましい。
【００２６】
前記第二椅子部材３２は、摺動可能に第二底部３１の上面に設置され、第二座り部３２１及び第二上部摺動構造３２２を備え、該第二上部摺動構造３２２は、第二座り部３２１と第二座部３１２との間に設置され、該第二座り部３２１は、第二上部摺動構造３２２を介して第二座部３１２に対して摺動することが出来る。尚、本実施例の第二上部摺動構造３２２は、モータや、歯車組み、スクリューロッド、ナット、レールなどの部材からなることが好ましい。
【００２７】
図９乃至図１２に示すように、前記脚支持部材３３は、第二座り部３２１の前側に設置され、第一脚支持部３３１と、第二脚支持部３３２と、第三脚支持部３３３とを備え、該第一脚支持部３３１は、第二座り部３２１の前側に枢設され、該第二脚支持部３３２は、第一脚支持部３３１の前側に枢設され、該第三脚支持部３３３は、第一脚支持部３３１と第二脚支持部３３２との間に設置され、該第二脚支持部３３２は、第三脚支持部３３３を介して第一脚支持部３３１に対して枢転することが出来る。
【００２８】
本実施例の第三脚支持部３３３は、少なくとも１つの第一モータ３３３aと、少なくとも１つの歯車組み３３３bと、１つの軸３３３cと、少なくとも１つの連結板３３３dとを備え、そのうち第一モータ３３３aは、第一脚支持部３３１の底面に取り付けられ、該歯車組み３３３bは、対応する第一モータ３３３aの伝動軸と接続することにより連動し、該軸３３３cは、対応する歯車組み３３３bに接続され、該連結板３３３dの一端は、軸３３３cに固定されると共に、他端は第二脚支持部３３２の底面に固定される。
【００２９】
本実施例の第三脚支持部３３３は、２つの第一モータ３３３aと、２つの歯車組み３３３bと、２つの連結板３３３dと、１つの保持部材３３３eとを備え、前記軸３３３cは、２つの歯車組み３３３bの間に架設され、該保持部材３３３eは、第二モータ３３３fと、転動棒３３３gと、２つの枢転棒３３３hと、２つの止め部３３３iとを備え、該第二モータ３３３fは、第一脚支持部３３１の底面に設置され、該転動棒３３３gは、第二モータ３３３fに接続することにより連動し、該転動棒３３３gの末端に偏心ブロック３３３jが形成され、該２つの枢転棒３３３hはそれぞれ、対応する一端を介して互いに枢設され、そのうちの１つの枢転棒３３３hの側面は、偏心ブロック３３３jの周面に当接され、該止め部３３３iはそれぞれ、対応する連結板３３３dに当接するように、対応する枢転棒３３３hの末端に枢設される。
【００３０】
また、その第三脚支持部３３３の第一モータ３３３aを駆動して歯車組み３３３bを回転させて連結板３３３dを枢転させると、第二脚支持部３３２が第一脚支持部３３１に対して枢転して展開し、第二脚支持部３３２が第一脚支持部３３１と同一平面となるまで枢転して平坦状となり第二脚支持部３３２の展開操作が完了する。この時、さらに、第二モータ３３３fを駆動させて転動棒３３３gを回転させることにより、偏心ブロック３３３jで枢転棒３３３hを押圧し、枢転棒３３３hを止め部３３３iに連動させて連結板３３３dを押付ける。この構成によれば、第三脚支持部３３３の連結板３３３dを穏やかに保持することができるので、自動車の走行中でも、第二脚支持部３３２が回動することはない。
【００３１】
図９に示すように、前記第二背もたれ部材３４は、第二椅子部材３２に枢設され、第二背もたれ枠部３４１と、少なくとも１つの第二角度調整構造３４２と、２つの肘掛３４３とを備え、該第二角度調整構造３４２は、第二背もたれ枠部３４１と第二座り部３２１との間に設置され、該第二背もたれ枠部３４１は、第二角度調整構造３４２を介して第二座り部３２１に対して枢転することができ、また、該肘掛３４３はそれぞれ、第二背もたれ枠部３４１の両側に設置される。尚、本実施例の第二角度調整構造３４２は、モータ及び歯車組みからなることが好ましい。
【００３２】
図１３乃至図１５に示すように、使用者は自ら、第二底部摺動構造３１３、第二上部摺動構造３２２、脚支持部材３３、第二角度調整構造３４２をそれぞれ好みの角度に調整することができ、また、図１３に示すように、第一脚支持部３３１を第二座り部３２１と同一平面まで枢転させると共に、第二脚支持部３３２を第一脚支持部３３１と同一平面まで枢転させると、該第二座り部３２１、第一脚支持部３３１、第二脚支持部３３２が同一平面となるように平坦状となることから、他のシートと組合わせれば、ベッドとして利用することが出来る。
【００３３】
図１４及び図１５に示すように、第二底部摺動構造３１３を駆動させて第二座部３１２を第二枠部３１１に対して摺動させると共に、第二角度調整構造３４２を駆動させて第二背もたれ枠部３４１を第二座り部３２１に対して枢転させ、更に第一脚支持部３３１を上方へ枢転させ、また、第二上部摺動構造３２２を駆動させて第二座り部３２１を第二座部３１２に対して摺動させ、それによれば、第二背もたれ枠部３４１がさらに水平方向へ傾かれると共に、第二脚支持部３３２も第一脚支持部３３１と対応して平坦状となることから、搭乗者が第二シートフレームに横になってもよい。
【００３４】
図１及び図１６乃至図１９に示すように、前記テーブル４０は、伸縮可能にベース１０に設置され、駆動装置４１と、伸縮棒部材４２と、折り畳み板４３とを備え、そのうち伸縮棒部材４２は、駆動装置４１に環装されると共に、ベース１０に嵌め込まれ、該駆動装置４１の駆動によって、伸縮棒部材４２を延出させたり、縮退させてベース１０の内部に収納したりし、また、該折り畳み板４３は、伸縮棒部材４２の末端に設置される。
【００３５】
本実施例では、駆動装置４１が、２つのネジ棒４１１と、２つの固定板４１３と、２つの第三モータ４１２と、外部フレーム（図示せず）とを備え、そのうち、２つのネジ棒４１１はそれぞれ、ベース１０及び折り畳み板４３に固定されると共に、各ネジ棒４１１は、第一ネジ棒４１１Ａと、第二ネジ棒４１１Ｂと、第三ネジ棒４１１Ｃとを備え、その第一ネジ棒４１１Ａはそれぞれ、ベース１０及び折り畳み板４３の底面に固定され、第二ネジ棒４１１Ｂは、第一ネジ棒４１１Ａと螺合するように、第一ネジ棒４１１Ａに貫設され、第三ネジ棒４１１Ｃは、第二ネジ棒４１１Ｂと螺合するように、第二ネジ棒４１１Ｂに貫設される。
また、前記２つの固定板４１３はそれぞれ、移動可能に２つのネジ棒４１１に取り付けられ、そのうち、ベース１０と対応する固定板４１３は、折り畳み板４３と折り畳み板４３と対応する固定板４１３との間に配置され、折り畳み板４３と対応する固定板４１３は、ベース１０とベース１０と対応する固定板４１３との間に配置される。
更に、前記２つの第三モータ４１２はそれぞれ、ネジ棒４１１の第三ネジ棒４１１Ｃを駆動するために、２つの固定板４１３に取り付けられ、外部フレームは、２つの固定板４１３、２つの第三モータ４１２、２つのネジ棒４１１の第三ネジ棒４１１Ｃを囲むように設置され、且つ２つの固定板４１３との間に所定の距離を維持させる。
【００３６】
一方、前記伸縮棒部材４２は、駆動装置４１を囲むように設置され、複数の円筒管４２１を備え、それらの円筒管４２１は、異なる外径を呈すると共に、下端から上端へ行く次第に外径が大きくなるように次々に接続される。また、前記第三モータ４１２はそれぞれ、対応するネジ棒４１１を駆動すると、ネジ棒４１１の伸縮によって、ネジ棒４１１の外部の伸縮棒部材４２を伸縮可能に調整し、折り畳み板４３の高度位置を調整することが出来る。尚、本実施例においては、折り畳み板４３が３つのプレート４３１を有し、そのうちの１つのプレート４３１は中央に設置され、他の２つのプレート４３１はそれぞれ、中央のプレート４３１の両側に枢設される。
【００３７】
図１に示すように、本発明に係る調整可能なテーブル及び後部座席を設置する時は、少なくとも１つの第一シートフレーム２０と、少なくとも１つの第二シートフレーム３０と、少なくとも１つのテーブル４０を準備するが、それらの部材の数量または設置位置は、必要に応じて自由に変更することが出来る。
【００３８】
本実施例においては、その２つの第一シートフレーム２０が、横方向に並んで設置され、それらはそれぞれ個別に調整可能であり、一方、２つの第二シートフレーム３０は、第一シートフレーム２０と対向するように、横方向に並んで設置され、それらはそれぞれ個別に調整可能であり、更に、２つのテーブル４０は、第一シートフレーム２０と第二シートフレーム３０との間に設置され、それぞれ個別に調整可能である。
【００３９】
図１、図２０乃至図２２に示すように、本発明に係る調整可能なテーブル及び後部座席では、そのテーブル４０を縮退させてベース１０の上面１１と同一平面となるようにベース１０の内部に収納されることから、後部に広いスペースを提供し、搭乗者の通路または第一シートフレーム２０及び第二シートフレーム３０に対してより広い調整空間を提供することができる。
【００４０】
図２３乃至図２５に示すように、搭乗者は必要に応じて、２つのテーブル４０を共にベース１０から上方へ引き上げて利用してもよく、その２つのテーブル４０の何れかの１つのみを、ベース１０の内部から上方へ引き上げて利用してもよい。また、搭乗者は、最も快適な座り心地とするために、第一シートフレーム２０や、第二シートフレーム３０、テーブル４０を自由に調整することが出来る。
【００４１】
図２６乃至図２８に示すように、前記第一シートフレーム２０及び第二シートフレーム３０を平坦状に調整し、対向する第一シートフレーム２０及び第二シートフレーム３０を、第一座り部２２１及び脚支持部材３３を介して同一平面とすることにより、ベッドとして利用することが出来る。また、テーブル４０を、第一座り部２２１及び脚支持部材３３を支持できる高さまで上昇させれば、搭乗者が第一座り部２２１及び脚支持部材３３上に横になってもその重量を支えることができる。
【００４２】
上述したように、本発明に係る調整可能なテーブル及び後部座席は、第一底部摺動構造２１３、第二底部摺動構造３１３、第一上部摺動構造２２２、第二上部摺動構造３２２、第一角度調整構造２３２、第二角度調整構造３４２、脚支持部材３３を自由に調整することによって、第一シートフレーム２０及び第二シートフレーム３０を後部座席の空間において平坦状または適当な角度とすることができるので、搭乗者に対してよりよい座り心地を提供することができ、更に、そのテーブル４０も自由に引き上げたり縮退させて収納したりすることができるので、実用性がさらに向上する。
【符号の説明】
【００４３】
１０                     ベース
１１                     上面
２０                     第一シートフレーム
２１                     第一底部
２１１                   第一枠部
２１２                   第一座部
２１３                   第一底部摺動構造
２２                     第一椅子部材
２２１                   第一座り部
２２２                   第一上部摺動構造
２３                     第一背もたれ部材
２３１                   第一背もたれ枠部
２３２                   第一角度調整構造
２３２a                  第一リンク
２３２b                  第二リンク
２３２c                  第三リンク
２４                     ヘッドレスト
２４１                   ヘッドレストフレーム
２４２                   摺動リンク構造
３０                     第二シートフレーム
３１                     第二底
３１１                   第二枠部部
３１２                   第二座
３１３                   第二底部摺動構造
３２                     第二椅子部
３２１                   第二座り部
３２２                   第二上部摺動構造
３３                     脚支持部材材
３３１                   第一脚支持部
３３２                   第二脚支持部
３３３                   第三脚支持部
３３３a                  第一モータ
３３３b                  歯車組み
３３３c                  軸
３３３d                  連結板
３３３e                  保持部材
３３３f                  第二モータ
３３３g                  転動棒
３３３h                  枢転棒
３３３i                  止め部
３４                     第二背もたれ部材
３４１                   第二背もたれ枠部
３４２                   第二角度調整構造
３４３                   肘掛
４０                     テーブル
４１                     駆動装置
４１１                   ネジ棒
４１１Ａ                 第一ネジ棒
４１１Ｂ                 第二ネジ棒
４１１Ｃ                 第三ネジ棒
４１２                   第三モータ
４１３                   固定板
４２                     伸縮棒部材
４２１                   円筒管
４３                     折り畳み板
４３１                   プレート
【図１】
2016008046.tif 000003
【図２】
2016008046.tif 000004
【図３】
2016008046.tif 000005
【図４】
2016008046.tif 000006
【図５】
2016008046.tif 000007
【図６】
2016008046.tif 000008
【図７】
2016008046.tif 000009
【図８】
2016008046.tif 000010
【図９】
2016008046.tif 000011
【図１０】
2016008046.tif 000012
【図１１】
2016008046.tif 000013
【図１２】
2016008046.tif 000014
【図１３】
2016008046.tif 000015
【図１４】
2016008046.tif 000016
【図１５】
2016008046.tif 000017
【図１６】
2016008046.tif 000018
【図１７】
2016008046.tif 000019
【図１８】
2016008046.tif 000020
【図１９】
2016008046.tif 000021
【図２０】
2016008046.tif 000022
【図２１】
2016008046.tif 000023
【図２２】
2016008046.tif 000024
【図２３】
2016008046.tif 000025
【図２４】
2016008046.tif 000026
【図２５】
2016008046.tif 000027
【図２６】
2016008046.tif 000028
【図２７】
2016008046.tif 000029
【図２８】
2016008046.tif 000030
【手続補正書】
【提出日】平成27年7月22日(2015.7.22)
【手続補正１】
【補正対象書類名】明細書
【補正対象項目名】００１８
【補正方法】変更
【補正の内容】
【００１８】
【図１】本発明に係る調整可能なテーブル及び後部座席の斜視図である。
【図２】本発明に係る調整可能なテーブル及び後部座席における第一シートフレームの斜視図である。
【図３】本発明に係る調整可能なテーブル及び後部座席における第一シートフレームの側面図である。
【図４】本発明に係る調整可能なテーブル及び後部座席における第一シートフレームを調整している状態を示す側面図である。
【図５】本発明に係る調整可能なテーブル及び後部座席における第一シートフレームを調整している状態を示す斜視図である。
【図６】本発明に係る調整可能なテーブル及び後部座席における第一シートフレームの他の調整状態を示す側面図である。
【図７】本発明に係る調整可能なテーブル及び後部座席における第一シートフレームの他の調整状態を示す斜視図である。
【図８】本発明に係る調整可能なテーブル及び後部座席における第一シートフレームの更に他の調整状態を示す側面図である。
【図９】本発明に係る調整可能なテーブル及び後部座席における第二シートフレームの斜視図である。
【図１０】本発明に係る調整可能なテーブル及び後部座席における第二シートフレームの脚支持部材の斜視図である。
【図１１】本発明に係る調整可能なテーブル及び後部座席における第二シートフレームの脚支持部材の部分斜視図である。
【図１２】本発明に係る調整可能なテーブル及び後部座席における第二シートフレームの脚支持部材の他の部分斜視図である。
【図１３】本発明に係る調整可能なテーブル及び後部座席における第二シートフレームを調整した状態を示す側面図である。
【図１４】本発明に係る調整可能なテーブル及び後部座席における第二シートフレームの他の調整状態を示す側面図である。
【図１５】本発明に係る調整可能なテーブル及び後部座席における第二シートフレームの更に他の調整状態を示す側面図である。
【図１６】本発明に係る調整可能なテーブル及び後部座席におけるテーブルの斜視図である。
【図１７】本発明に係る調整可能なテーブル及び後部座席におけるテーブルの部分斜視図である。
【図１８】本発明に係る調整可能なテーブル及び後部座席におけるテーブルを調整した状態を示す斜視図である。
【図１９】本発明に係る調整可能なテーブル及び後部座席におけるテーブルの他の調整状態を示す斜視図である。
【図２０】本発明に係る調整可能なテーブル及び後部座席の側面図である。
【図２１】本発明に係る調整可能なテーブル及び後部座席においての第一調整操作を示す斜視図である。
【図２２】本発明に係る調整可能なテーブル及び後部座席においての第一調整操作を示す側面図である。
【図２３】本発明に係る調整可能なテーブル及び後部座席においての第二調整操作を示す斜視図である。
【図２４】本発明に係る調整可能なテーブル及び後部座席においての第三調整操作を示す斜視図である。
【図２５】本発明に係る調整可能なテーブル及び後部座席においての第三調整操作を示す側面図である。
【図２６】本発明に係る調整可能なテーブル及び後部座席においての第四調整操作を示す斜視図である。
【図２７】本発明に係る調整可能なテーブル及び後部座席においての第四調整操作を示す側面図である。
【図２８】本発明に係る調整可能なテーブル及び後部座席においての第四調整操作を示す側面図である。